(57)【要約】【課題】有機ＥＬ素子を光源とする光源部を備えた発光モジュールにおいて、光源部を任意の場所に簡便且つ精度良く配置する。【解決手段】発光モジュール１は、平板状の光源部２と、光源部２を着脱可能に装着する長尺平板状のベース部３と、を備える。光源部２は、ベース部３に装着される装着面２Ａにおける対峙する二辺Ｓ１、Ｓ２に、ベース部３との係合に用いられる一対の係合部４、５を有する。ベース部３は、光源部２を装着する取付面３Ａに、係合部４、５と係合する保持部３１、３２と、保持部３１、３２をベース部３の長手方向に沿って所定間隔毎に着脱可能に取り付けるための複数の保持部取付部３３と、を有する。上記構成によれば、保持部３１、３２が、ベース部３において任意の保持部取付部３３に対して着脱可能に取り付けられるので、保持部３１、３２の配置を変更することで光源部２を任意の場所に簡便且つ精度良く配置することができる。【選択図】図１
2015153593.tif 000002
【特許請求の範囲】
【請求項１】
矩形平板状の光源部と、前記光源部を複数直線状に配置した状態で着脱可能に装着する長尺な矩形平板状のベース部と、を備えた発光モジュールであって、
前記光源部は、前記ベース部に装着される装着面における対峙する二辺に、前記ベース部との係合に用いられる一対の係合部を有し、
前記一対の係合部のうち少なくとも一方は、他方の前記係合部の方向にスライド可能とされ、
前記ベース部は、前記光源部を装着する取付面に、前記ベース部の長手方向に沿って設けられ前記係合部と係合する複数の保持部と、前記複数の保持部を前記長手方向に沿って所定間隔毎に着脱可能に取り付けるための複数の保持部取付部と、を有することを特徴とする発光モジュール。
【請求項２】
前記光源部は、前記係合部に隣接して前記装着面から立設され前記光源部への給電及び制御信号入力に用いられる端子を更に有し、
前記ベース部は、前記端子と電気的に接続され前記保持部取付部に着脱可能に取り付けられる複数のコネクタを更に有し、
前記コネクタは、複数の前記光源部が互いに隣接して前記ベース部に装着されたときに、前記光源部間の境界位置に配置され、互いに隣接する前記光源部の端子同士を接続することを特徴とする請求項１に記載の発光モジュール。
【請求項３】
前記保持部は、前記コネクタと一体に構成されていることを特徴とする請求項２に記載の発光モジュール。
【請求項４】
前記端子は、前記係合部のスライド方向に沿って伸びる平刃形状とされ、
前記コネクタは、前記端子が挿通される端子差込口を有し、前記端子差込口は、前記長手方向に沿って伸びるように形成されていることを特徴とする請求項２又は請求項３に記載の発光モジュール。
【請求項５】
前記端子は、一の前記光源部において、前記一対の係合部が設けられた辺の各々に配置されていることを特徴とする請求項２乃至請求項４のいずれか一項に記載の発光モジュール。
【請求項６】
前記端子は、前記光源部への給電に用いられる陽極端子及び陰極端子と、前記光源部への制御信号入力に用いられる信号端子と、の３極の端子から成り、
一の前記光源部において、一方の辺の前記３極の端子の配置と他方の辺の前記３極の端子の配置とは、前記装着面の中心を基準に点対称となっていることを特徴とする請求項５に記載の発光モジュール。
【請求項７】
前記コネクタは、前記光源部を前記ベース部に装着する前に、前記端子に取り付けられていることを特徴とする請求項２に記載の発光モジュール。
【請求項８】
請求項１乃至請求項７のいずれか一項に記載された発光モジュールを備えたことを特徴とする照明器具。
【発明の詳細な説明】
【技術分野】
【０００１】
本発明は、有機ＥＬ素子を光源とする発光モジュール及びそれを用いた照明器具に関する。
【背景技術】
【０００２】
有機ＥＬ素子は、低電圧で高輝度な光を出射することができ、且つ含有する有機化合物の種類によって様々な発光色を得ることができる平板状の発光素子である。このような有機ＥＬ素子を用いた発光モジュールとして、有機ＥＬ素子を光源とする複数の面状光源（光源部）と、これら面状光源を支持する支持部材（ベース部）と、を備えたものが知られている（例えば、特許文献１参照）。
【先行技術文献】
【特許文献】
【０００３】
【特許文献１】特開２０１２−１０４５０４号公報
【発明の概要】
【発明が解決しようとする課題】
【０００４】
しかしながら、上述したような発光モジュールでは、ベース部に対する光源部の取り付け位置が限定されているので、光源部を任意の場所に配置することができない。
【０００５】
本発明は、上記課題を解決するものであって、有機ＥＬ素子を光源とする光源部を備えた発光モジュールにおいて、光源部を任意の場所に簡便且つ精度良く配置することができる発光モジュールを提供することを目的とする。
【課題を解決するための手段】
【０００６】
本発明の発光モジュールは、矩形平板状の光源部と、前記光源部を複数直線状に配置した状態で着脱可能に装着する長尺な矩形平板状のベース部と、を備え、前記光源部は、前記ベース部に装着される装着面における対峙する二辺に、前記ベース部との係合に用いられる一対の係合部を有し、前記一対の係合部のうち少なくとも一方は、他方の前記係合部の方向にスライド可能とされ、前記ベース部は、前記光源部を装着する取付面に、前記ベース部の長手方向に沿って設けられ前記係合部と係合する複数の保持部と、前記複数の保持部を前記長手方向に沿って所定間隔毎に着脱可能に取り付けるための複数の保持部取付部と、を有することを特徴とする。
【０００７】
前記光源部は、前記係合部に隣接して前記装着面から立設され前記光源部への給電及び制御信号入力に用いられる端子を更に有し、前記ベース部は、前記端子と電気的に接続され前記保持部取付部に着脱可能に取り付けられる複数のコネクタを更に有し、前記コネクタは、複数の前記光源部が互いに隣接して前記ベース部に装着されたときに、前記光源部間の境界位置に配置され、互いに隣接する前記光源部の端子同士を接続することが好ましい。
【０００８】
前記保持部は、前記コネクタと一体に構成されていることが好ましい。
【０００９】
前記端子は、前記係合部のスライド方向に沿って伸びる平刃形状とされ、前記コネクタは、前記端子が挿通される端子差込口を有し、前記端子差込口は、前記長手方向に沿って伸びるように形成されていることが好ましい。
【００１０】
前記端子は、一の前記光源部において、前記一対の係合部が設けられた辺の各々に配置されていることが好ましい。
【００１１】
前記端子は、前記光源部への給電に用いられる陽極端子及び陰極端子と、前記光源部への制御信号入力に用いられる信号端子と、の３極の端子から成り、一の前記光源部において、一方の辺の前記３極の端子の配置と他方の辺の前記３極の端子の配置とは、前記装着面の中心を基準に点対称となっていることが好ましい。
【００１２】
前記コネクタは、前記光源部を前記ベース部に装着する前に、前記端子に取り付けられていることが好ましい。
【００１３】
本発明の照明器具は、上記発光モジュールを備えたことを特徴とする。
【発明の効果】
【００１４】
本発明によれば、光源部を保持する保持部が、ベース部において任意の保持部取付部に対して着脱可能に取り付けられるので、保持部の配置を変更することで光源部を任意の場所に簡便且つ精度良く配置することができる。
【図面の簡単な説明】
【００１５】
【図１】（ａ）は本発明の一実施形態に係る発光モジュールの分解斜視図、（ｂ）乃至（ｅ）は（ａ）の領域Ｉ乃至ＩＶの拡大図。
【図２】（ａ）は上記発光モジュールを構成する光源部の平面図、（ｂ）は（ａ）の一点鎖線で囲んだ領域の拡大図、（ｃ）は（ｂ）のＩ−Ｉ線断面図。
【図３】図２（ａ）のＩＩ−ＩＩ線断面図。
【図４】（ａ）乃至（ｄ）は、上記光源部をベース部に装着するときの動作を示す側断面図。
【図５】上記光源部をベース部に装着するときの、端子の端子差込口への差し込みの様子を示す側断面図。
【図６】上記光源部のベース部への装着向きを示す平面図。
【図７】他の実施形態に係る発光モジュールの分解斜視図。
【図８】上記発光モジュールを構成する光源部の斜視図。
【発明を実施するための形態】
【００１６】
本発明の一実施形態に係る発光モジュールについて図１乃至図６を参照して説明する。本発光モジュールは、住居や店舗等で使用される照明器具を構成する。
【００１７】
図１（ａ）乃至（ｅ）に示すように、発光モジュール１は、複数の光源部２と、これら光源部２を着脱可能に装着するベース部３と、を備える。図例では、光源部２は、３つの光源部２ａ、２ｂ、２ｃから成る（図１（ａ）において光源部２ｂをドットで示す）。光源部２ａ、２ｂ、２ｃは、それぞれ長尺な矩形平板状とされ、互いに隣接して直線状に配置されている。光源部２ａ、２ｂ、２ｃの長手方向における長さＬは、例えば、３０ｃｍ程度とされる。ベース部３は、光源部２ａ、２ｂ、２ｃを一括して装着することができるように長尺な矩形平板状に構成されている。
【００１８】
光源部２は、光源として矩形平板状の有機ＥＬ素子２１を有し、ベース部３に相対する面をベース部３に装着される装着面２Ａとし、装着面２Ａとは反対側の面を光を発する発光面としている。光源部２は、装着面２Ａに、ベース部３との係合に用いられる一対の係合部４、５と、光源部２への給電及び調光信号入力に用いられる一対の端子６、７と、を有する。図例では、光源部２の一側及び他側の短辺をそれぞれＳ１、Ｓ２とし、係合部４及び端子６は、短辺Ｓ１に設けられ、係合部５及び端子７は、短辺Ｓ２に設けられている。なお、端子６、７は、以下の説明を容易にするために互いに異なる符号を有しているが、機能的には互いに同一のものである。
【００１９】
端子６、７は、光源部２の長手方向に沿って伸びる平刃形状とされ、短辺Ｓ１、Ｓ２において係合部４、５に隣接して装着面２Ａから立設されている。端子６は、光源部２への給電に用いられる陽極端子６１及び陰極端子６２と、光源部２への制御信号入力に用いられる信号端子６３と、の３極の端子から成る（図１（ｂ）乃至（ｅ）参照）。同様に、端子７は、光源部２への給電に用いられる陽極端子７１及び陰極端子７２と、光源部２への制御信号入力に用いられる信号端子７３と、の３極の端子から成る。端子６における陽極端子６１、陰極端子６２及び信号端子６３の配置は、それぞれ端子７における陽極端子７１、陰極端子７２及び信号端子７３の配置と装着面２Ａの中心Ｃ（図１（ａ）参照）を基準にして点対称となっている。図例では、端子６において紙面の奥側から順に陽極端子６１、陰極端子６２及び信号端子６３が配置され、端子７において紙面の奥側から順に信号端子７３、陰極端子７２及び陽極端子７１が配置されている。なお、端子６、７の配置は、図例のものに限定されず、上述したように互いに点対称の配置関係になっていれば他の順で配置されていてもよい。また、ここでいう制御信号は、例えば、光源部２を調光制御するための調光信号を含み、光源部２が発光色の互いに異なる複数の発光層を有する場合には、各発光層の発光を個別に調整して照射光を調色制御する。
【００２０】
ベース部３は、光源部２と相対する面を光源部２を装着する取付面３Ａとし、取付面３Ａとは反対側の面をベース部３を天井や壁等の施工面に取り付けるための設置面としている。ベース部３は、取付面３Ａに、係合部４、５と係合する保持部３１、３２（図１（ｂ）乃至（ｅ）においてドットで示す）と、これら保持部３１、３２をベース部３の長手方向に沿って所定間隔毎に着脱可能に取り付けるための複数の保持部取付部３３と、を有する。図例では、保持部取付部３３は、長手方向に沿って（１／４）Ｌの間隔毎に設けられ、ネジ溝により構成されている。また、ベース部３は、光源部２への給電及び制御信号入力に用いられる複数のコネクタ８を有する。これらコネクタ８は、保持部取付部３３に螺合するネジ（不図示）が挿通される貫通孔８０を有し、該ネジによって保持部取付部３３に着脱可能にネジ止めされる。
【００２１】
コネクタ８は、光源部２ａの端子６と外部入力とを接続する入力コネクタ８１と、光源部２ａ、２ｂ間の境界位置に配置され光源部２ａ、２ｂを互いに電気的に接続するコネクタ８２と、を有する。また、コネクタ８は、光源部２ｂ、２ｃ間の境界位置に配置され光源部２ｂ、２ｃを互いに電気的に接続するコネクタ８３と、光源部２ｃの端子７を保護するエンドキャップ８４と、を有する。これら入力コネクタ８１、コネクタ８２、８３及びエンドキャップ８４の各々は、その外表面が絶縁材料により構成され、端子６、７が外部に露出しないように端子６、７を覆っている。これにより、例えば、光源部２をベース部３に装着するときの感電事故やトラッキング現象を防止することができる。
【００２２】
入力コネクタ８１（図１（ｂ）参照）は、光源部２ａの陽極端子６１、陰極端子６２及び信号端子６３の各々が差し込まれる３つの端子差込口８１ａ、８１ｂ、８１ｃを有する。端子差込口８１ａ乃至８１ｃは、入力コネクタ８１をベース部３に取り付けたときに、ベース部３の長手方向に沿って伸びるように形成されている。端子差込口８１ａ乃至８１ｃには、各々に差し込まれた陽極端子６１、陰極端子６２及び信号端子６３を挟持する端子受け部（不図示）がそれぞれ内装されている。また、入力コネクタ８１は、外部から光源部２ａへの電力供給に用いられる陽極線及び陰極線が挿通される陽極線接続口８１ｄ及び陰極線接続口８１ｅと、外部から光源部２ａへの制御信号入力に用いられる信号線が挿通される信号線接続口８１ｆと、を有する。接続口８１ｄ、８１ｅ、８１ｆに挿通された陽極線、陰極線及び信号線は、それぞれ端子受け部を介して陽極端子６１、陰極端子６２及び信号端子６３と電気的に接続されている。
【００２３】
コネクタ８２（図１（ｃ）参照）は、光源部２ａの端子７１、７２、７３の各々が差し込まれる端子差込口８２ａ、８２ｂ、８２ｃと、光源部２ｂの端子６１、６２、６３の各々が差し込まれる端子差込口８２ｄ、８２ｅ、８２ｆと、を有する。これら端子差込口８２ａ乃至８２ｆの各々は、コネクタ８２をベース部３に取り付けたときに、ベース部３の長手方向に沿って伸びるように形成されている。端子差込口８２ａ乃至８２ｆには、各々に差し込まれた端子７１乃至７３、６１乃至６３を挟持する端子受け部（不図示）が内装され、端子７１を挟持する端子受け部と端子６１を挟持する端子受け部とは、コネクタ８２内で互いに電気的に接続されている。また、同様に、端子７２と端子６２及び端子７３と端子６３も、それぞれ互いに電気的に接続されている。すなわち、コネクタ８２の内部において、端子７１、６１を接続する端子受け部と、端子７２、６２を接続する端子受け部と、端子７３、６３を接続する端子受け部とは、それぞれコネクタ８２の中心を通って互いに交差するように配置されている。このようにすることで、光源部２ａ、２ｂは、互いに導通される。コネクタ８３（図１（ｄ）参照）も、コネクタ８２と同様に構成され、光源部２ｂ、２ｃを互いに導通させる。
【００２４】
エンドキャップ８４は、光源部２ｃの端子７１、７２、７３の各々が差し込まれる端子差込口８４ａ、８４ｂ、８４ｃを有する。端子差込口８４ａ乃至８４ｃの各々は、エンドキャップ８４をベース部３に取り付けたときに、ベース部３の長手方向に沿って伸びるように形成されている。端子差込口８４ａ乃至８４ｃの各々には、上述したような端子受け部は内装されておらず、エンドキャップ８４は、感電事故やトラッキング現象を防止するために単に端子７１、７２、７３を覆い隠しているだけである。
【００２５】
本実施形態では、入力コネクタ８１、コネクタ８２、８３及びエンドキャップ８４の各々は、保持部３１及び／又は保持部３２と一体に構成されている。入力コネクタ８１は、入力コネクタ８１をベース部３に取り付けたときにベース部３の短手方向に沿った方向における両端部の各々に保持部３１を有する。また、コネクタ８２、８３は、それぞれ同方向における両端部の各々に保持部３１、３２を有し、各端部に設けられた保持部３１、３２は、互いに一体化されている。更に、エンドキャップ８４は、同方向における両端部の各々に保持部３２を有する。このようにコネクタ８と保持部３１、３２とを一体に構成することで、発光モジュール１を構成する部材数を減らすことができるので、組み立て効率を向上させることができる。
【００２６】
図２（ａ）に示すように、係合部４は、光源部２本体にネジ止めされた固定部４１を有する。固定部４１は、平面視において略Ｃ字型の平板状とされ、光源部２の短手方向に沿って伸びる基部４１ａと、基部４１ａの両端部の各々から光源部２の長手方向に沿って短辺Ｓ１の方向に伸びる一対の腕部４１ｂと、を有する。また、係合部４は、固定部４１の基部４１ａに一端が固定され短辺Ｓ１の方向に伸びる一対のバネ４２と、バネ４２の他端に取り付けられ保持部３１と直接に係合する爪部４３（ドットで示す）と、を有する。
【００２７】
爪部４３は、固定部４１を小さくしたような略Ｃ字型の平板状とされ、固定部４１の基部４１ａ及び腕部４１ｂにより囲まれた領域に配置されている。爪部４３は、固定部４１の基部４１ａと平行に伸びる基部４３ａと、基部４３ａの両端部の各々から短辺Ｓ１の方向に伸びる一対の腕部４３ｂと、腕部４３ｂの末端に設けられ保持部３１と係合する一対の爪４３ｃと、を有する。
【００２８】
図２（ｂ）（ｃ）に示すように、爪部４３は、更に、腕部４３ｂから短手方向に沿った外方に向かって伸びる平板状のスライド部４３ｄを有する。スライド部４３ｄは、腕部４１ｂの爪部４３に相対する面に掘り込み形成されたスライド溝４１ｃにスライド可能となるように嵌め込まれている。このようにすることで、爪部４３は、バネ４２によって短辺Ｓ１に向かう方向に弾性付勢される。また、この付勢力に反する力が加えられたときには、爪部４３は、スライド部４３ｄがスライド溝４１ｃ内でスライドする範囲において、短辺Ｓ１に向かう方向とは反対側の方向（一の光源部２において係合部５の方向）にスライドする。
【００２９】
図２（ａ）に示したように、係合部５は、係合部４の固定部４１及び爪部４３と同形状の固定部５１及び爪部５２を有する。爪部５２は、光源部２本体に固定され、係合部４の爪４３ｃと同形状の爪５２ａを有する。爪５２ａは、保持部３２と係合する。
【００３０】
コネクタ８２、８３は、係合部４、５と略同じ厚みに構成され、係合部４の爪部４３と係合部５の爪部５２とにより囲まれた領域に配置されている。また、図示していないが、入力コネクタ８１は、光源部２ａの爪部４３により囲まれた領域に配置され、エンドキャップ８４は、光源部２ｃの爪部５２により囲まれた領域に配置されている。
【００３１】
図３は、係合部４、５と保持部３１、３２とが互いに係合した状態を示す。係合部４の爪４３ｃは、保持部３１に向かって尖ったＶ字形状とされ、ベース部３と相対する傾斜面４４と、傾斜面４４と頂部４５を挟んで反対側に配置され保持部３１と係合する係合面４６と、を有する。係合部５の爪５２ａは、保持部３２と係合する係合面５３を有する。
【００３２】
保持部３１は、係合部４の係合面４６と同じ斜度で設けられ係合部４と係合する係合面３４を有する。保持部３２は、保持部３１と同形状とされ、係合部５の係合面５３と同じ斜度で設けられ係合部５と係合する係合面３５を有する。
【００３３】
上記のように構成された発光モジュール１において、光源部２ｂをベース部３に装着するときの動作について図４（ａ）乃至（ｄ）を参照して説明する。まず、図４（ａ）に示すように、係合部５の爪５２ａと保持部３２とを各々の係合面５３、３５を介して互いに係合させた状態で、その係合箇所を支点として光源部２ｂをベース部３の方向に回動させる。これにより、図４（ｂ）に示すように、係合部４の爪４３ｃが、その傾斜面４４を介して保持部３１の係合面３４の端部３６に当接する。そうすると、傾斜面４４が端部３６に押し付けられることで、係合部４の爪部４３がバネ４２の弾性力に逆らって光源部２ｂの内方に向かって移動する力が生まれる。そして、図４（ｃ）に示すように、光源部２ｂの内方に向かって移動した爪部４３の頂部４５が保持部３１の端部３６を乗り越えた時点で、爪部４３がバネ４２の弾性力によって再び光源部２ｂの外方に向かって移動する。その結果、図４（ｄ）に示すように、爪４３ｃと保持部３１とが各々の係合面４６、３４を介して互いに係合し、光源部２ｂがベース部３に装着される。このように、発光モジュール１では、光源部２ｂをベース部３の方向に回動させる力を、爪部４３の傾斜面４４を保持部３１の端部３６に押し付けることで、爪部４３を光源部２ｂの内方へ移動させる力に変換している。なお、図示していないが、光源部２ａ、２ｃのベース部３への装着も、上述した光源部２ｂのベース部３への装着と同様に行われる。
【００３４】
また、図５に示すように、上記のように行われる光源部２ｂのベース部３への装着と同時に、光源部２ｂの陰極端子６２、７２の各々は、コネクタ８２の端子差込口８２ｅ及びコネクタ８３の端子差込口８３ｂに差し込まれる。このとき、陰極端子６２、７２及び端子差込口８２ｅ、８３ｂが、ベース部３の長手方向（係合部４のスライド方向）に沿って形成されているので、光源部２ｂが長手方向に沿って多少位置ずれしても、陰極端子６２、７２が端子差込口８２ｅ、８３ｂと干渉しない。これにより、光源部２ｂのベース部３への装着時における端子６２、７２の損傷を防止して、発光モジュール１の信頼性を高めることができる。なお、図示していないが、光源部２ｂの他の端子６１、６３、７１、７３についても同様である。また、光源部２ａの端子６、７及び光源部２ｃの端子６、７についても同様である。
【００３５】
上述のように、本実施形態の発光モジュール１によれば、光源部２を保持する保持部３１、３２と一体構成されたコネクタ８が、任意の保持部取付部３３に対して着脱可能に取り付けられている。そのため、保持部３１、３２の配置を変更することで、光源部２の配置をベース部３の長手方向に沿って（１／４）Ｌの長さ毎に変更することができ、光源部２を任意の場所に簡便且つ精度良く配置することができる。
【００３６】
また、仮に光源部２及びベース部３の各長辺に係合部４、５及び保持部３１、３２を設けたとすると、係合部４、５を保持部３１、３２に係合させるには、光源部２の長辺（〜３０ｃｍ）とベース部３の長辺とを互いに正確に位置合わせする必要がある。このような操作は、例えば、光源部２が重たい場合や、光源部２の長辺がより長くなった場合には難しくなることがある。これに対して、発光モジュール１では、光源部２及びベース部３の各短辺に係合部４、５及び保持部３１、３２が設けられているので、係合部４、５の保持部３１、３２への係合がやり易くなって操作性を向上させることができる。
【００３７】
また、係合部４の爪４３ｃと係合部５の爪５２ａとが互いに同形状で、且つ保持部３１、３２も互いに同形状となっているので、例えば、図６に示すように、光源部２ｂを１８０度反転させてベース部３に装着することも可能である。このとき、光源部２ｂにおいて、陽極端子６１、陰極端子６２及び信号端子６３の配置は、それぞれ陽極端子７１、陰極端子７２及び信号端子７３の配置と装着面２Ａの中心を基準にして点対称となっている。そのため、光源部２ｂを１８０度反転させてベース部３に装着したとしても、コネクタ８２は、光源部２ａの陽極端子７１、陰極端子７２及び信号端子７３を、それぞれ光源部２ｂの陽極端子７１、陰極端子７２及び信号端子７３と接続する。また、コネクタ８３は、光源部２ｂの陽極端子６１、陰極端子６２及び信号端子６３を、それぞれ光源部２ｃの陽極端子６１、陰極端子６２及び信号端子６３と接続する。なお、光源部２ａ、２ｃについても同様に、１８０度反転させてベース部３に装着したとしても正しい端子同士が接続される。このように、光源部２ａ、２ｂ、２ｃのベース部３への装着向きに関わらず、常に光源部２ａ、２ｂ、２ｃが正しく電気的接続されるように構成されているので、光源部２ａ、２ｂ、２ｃをベース部３に装着するときの操作性を向上させることができる。
【００３８】
次に、他の実施形態に係る発光モジュールについて図７及び図８を参照して説明する。発光モジュール１１では、保持部３１、３２が、コネクタ８とは別体とされている。また、コネクタ８は、光源部２をベース部３に装着する前に、光源部２の端子６、７に取り付けられている。
【００３９】
図例では、光源部２ａ、２ｄが互いに隣接して直線状に配置された状態でベース部３に装着されている。ここで、光源部２ａは、上述した発光モジュール１を構成する光源部２ａと同一のものである。光源部２ｄは、上述した光源部２ｂを基に端子７を取り除いたものであり、端子６のみ有する。光源部２ｄは、光源部２同士を接続する電気回路において終端に位置する。
【００４０】
光源部２ａ、２ｄの境界位置に対応するベース部３の取付面３Ａには、光源部２ａの係合部５と係合する一対の保持部３２と、光源部２ｄの係合部４と係合する一対の保持部３１とが、それぞれ保持部取付部３３に取り付けられた状態で固定されている。互いに隣接する保持部３１、３２は、互いに一体化されて一つの部材として構成されている。また、取付面３Ａにおいて光源部２ｄの係合部５と相対する箇所には、一対の保持部３２が、保持部取付部３３に取り付けられた状態で固定されている。更に、上述したコネクタ８２が、光源部２ａの端子７と接続された状態で光源部２ａに固定されている。
【００４１】
このように構成された発光モジュール１１によれば、上述した発光モジュール１が与える効果に加えて、コネクタ８２が光源部２ａに固定されているので、コネクタ８２に光源部２ｄを接続すれば、ベース部３に装着することなく光源部２ａ、２ｄを導通できる。また、電気回路において終端に位置する光源部２ｄには端子７が設けられていないので、エンドキャップ８４を配置する必要がない。これにより、上述した発光モジュール１に比べて構成部材が少なくなるので、発光モジュール１１の低コスト化及び組み立て効率向上を図ることができる。
【００４２】
なお、本発明に係る発光モジュール及びそれを用いた照明器具は、上記実施形態に限定されず種々の変形が可能である。例えば、一対の係合部は、共に他方の係合部の方向にスライド可能となるように構成されていてもよい。また、複数の光源部は、互いに長手方向における長さが異なるものにより構成されていてもよい。このとき、各光源部の長手方向における長さは、保持部取付部間の間隔の整数倍になっていることが好ましい。
【符号の説明】
【００４３】
１、１１  発光モジュール
２、２ａ、２ｂ、２ｃ、２ｄ  光源部
２Ａ  装着面
３  ベース部
３１、３２  保持部
３３  保持部取付部
３Ａ  取付面
４、５  係合部
６、７  端子
６１  陽極端子
６２  陰極端子
６３  信号端子
８、８２、８３  コネクタ
８１  入力コネクタ（コネクタ）
８４  エンドキャップ（コネクタ）
８１ａ乃至８１ｃ、８２ａ乃至８２ｆ、８３ａ乃至８３ｆ、８４ａ乃至８４ｃ  端子差込口
Ｃ  装着面の中心
Ｓ１、Ｓ２  短辺（装着面における対峙する二辺）
【図２】
2015153593.tif 000003
【図３】
2015153593.tif 000004
【図４】
2015153593.tif 000005
【図５】
2015153593.tif 000006
【図６】
2015153593.tif 000007
【図７】
2015153593.tif 000008
【図１】
2015153593.tif 000009
【図８】
2015153593.tif 000010